(57)【要約】【課題】観察者が観察する画像の輝度を低下させることなく、３次元画像表示と２画面表示が可能な画像表示装置を提供する。【解決手段】画像表示装置１は、画像を表示するための表示パネル２と、表示パネル２に光を照射するためのバックライト５と、バックライト５から照射された光を、第１の偏光軸を有する光と、第１の偏光軸とは異なる第２の偏光軸を有する光とに分離するための偏光制御液晶パネル７と、偏光制御液晶パネル７により異なる偏光軸を有するように分離された光を、それぞれ、所定の方向に進行させるとともに、観察者１０の左目１０ａおよび右目１０ｂを結んだ線分に対して実質的に直交する方向（図１のＦ方向）に延びるように形成されたレンズ部８ａを含むレンチキュラーレンズ８とを備えている。【選択図】図１
2007164116.tif 000002
【特許請求の範囲】
【請求項１】
所定の第１の方向と該第１の方向に交差する第２の方向に配列された複数の画素を有する表示パネルと、
該表示パネルに光を照射する光源と、
前記表示パネルと前記光源との間に設けられ、前記光源から照射された光を第１の偏光軸を有する光と前記第１の偏光軸の軸方向とは異なる第２の偏光軸を有する光とに分離する偏光軸制御手段と、
前記表示パネルと前記偏光軸制御手段との間に設けられ、前記光源から照射された光を前記第１の方向と実質的に直交する方向に進行させる光学素子と、を備えた画像表示装置であって、
前記偏光軸制御手段は、
第１の基板と、
第２の基板と、
前記第１の基板及び前記第２の基板との間に挟持された液晶層と、
前記第１の基板に前記第１の方向に延びるように各々形成され、かつ前記第２の方向に所定の間隔で配列された複数の第１の電極と、
前記第２の基板に前記第１の方向に延びるように各々形成され、かつ前記第２の方向に前記所定の間隔に対して２倍の間隔で配列された複数の第２の電極と、を備え、
前記複数の第２の電極の各々は、隣り合う前記複数の第１の電極の少なくとも一部と重なるように形成されていることを特徴とする画像表示装置。
【請求項２】
前記複数の第１の電極は、前記第１の基板の外縁部に形成された一対の接続部と、該一対の接続部から交互に前記第１の基板の内側方向へ延在する複数の帯状電極部と、を有する一対のくし歯状電極の帯状電極部であり、
前記複数の第２の電極は、前記第２の基板の外縁部に形成された一対の接続部と、該一対の接続部から交互に前記第２の基板の内側方向へ延在する複数の帯状電極部と、を有する一対のくし歯状電極の前記複数の帯状電極部であることを特徴とする請求項１に記載の画像表示装置。
【請求項３】
前記複数の第１の電極及び前記複数の第２の電極に印加する電圧を制御することにより、前記画像の表示モードを２画面表示モード又は３次元画像表示モードに切り替える制御手段を備えたことを特徴とする請求項１又は２に記載の画像表示装置。
【請求項４】
前記制御手段は、
前記２画面表示モードの時は、前記複数の第２の電極に対して隣り合う電極同士が逆位相となるように電圧を印加するとともに、前記複数の第１の電極に対して前記複数の第２の電極に印加される一方の電圧と同位相の電圧を印加し、
前記３次元画像表示モードの時は、前記複数の第１の電極に対して隣り合う電極同士が逆位相となるように電圧を印加するとともに、前記複数の第２の電極に対して前記複数の第１の電極に印加される一方の電圧と同位相の電圧を印加することを特徴とする請求項３に記載の画像表示装置。
【請求項５】
前記制御手段は、前記複数の第１の電極に対して隣り合う電極同士が逆位相となるように電圧を印加するとともに、前記複数の第２の電極に対して前記複数の第１の電極に印加する電圧の半分の周期の電圧を印加することで、前記画像の前記表示モードを２次元画像表示モードに切り替えることを特徴とする請求項４に記載の画像表示装置。
【請求項６】
前記制御手段は、前記複数の第２の電極に対して隣り合う電極同士が逆位相となるように電圧を印加するとともに、前記複数の第１の電極に対して前記複数の第２の電極に印加される他方の電圧と同位相の電圧を印加することで、前記画像の前記表示モードを第２の２画面表示モードに切り替えることを特徴とする請求項４又は５に記載の画像表示装置。
【請求項７】
請求項１から６のいずれか一項に記載の画像表示装置を備えた電子機器。
【発明の詳細な説明】
【技術分野】
【０００１】
本発明は、画像表示装置及び電子機器に関し、特に、偏光軸制御手段を備えた画像表示装置及び電子機器に関する。
【背景技術】
【０００２】
従来、３次元の立体画像を表示する画像表示装置の一つの手法として、特許２８５７４２９号公報に開示されている方式の３次元画像表示装置が知られている。
【０００３】
特許２８５７４２９号公報に開示されている３次元画像表示装置では、画像表示面の観察者側に配置された電子式パララックスバリアを、マイクロコンピュータなどの制御手段により制御することによって、観察者の左目に左眼用の画像が入射するとともに、観察者の右目に右目用画像が入射するように、電子式パララックスバリアの開口部及び遮光部が形成される。
【特許文献１】特許２８５７４２９号公報
【発明の開示】
【発明が解決しようとする課題】
【０００４】
しかしながら、特許２８５７４２９号公報に開示された３次元画像表示装置では、画像表示面の観察者側に、電子式パララックスバリアを配置しているため、画像表示面から出射された光の一部が、電子式パララックスバリアの遮光部に遮光されてしまう。その結果、観察者が観察する画像の輝度が低下するため、画像が暗く見えるという問題点がある。
【０００５】
また、表示パネルの観察者側にスリット状の開口部及び遮光部が設けられたバリアを配置することによって、観察位置の異なる観察者に異なる画像を提供可能な２画面表示装置が知られているが、この方式の表示装置では、表示パネルから出射された光の一部がバリアに遮光されるため、画像が暗く見えると言う問題点がある。
【０００６】
本発明は、上記問題点に鑑みてなされたものであり、観察者が観察する画像の輝度を低下させることなく、３次元画像表示と２画面表示が可能な画像表示装置を提供することを目的とする。
【課題を解決するための手段】
【０００７】
本発明に係る画像表示装置は、所定の第１の方向と該第１の方向に交差する第２の方向に配列された複数の画素を有する表示パネルと、該表示パネルに光を照射する光源と、前記表示パネルと前記光源との間に設けられ、前記光源から照射された光を第１の偏光軸を有する光と前記第１の偏光軸の軸方向とは異なる第２の偏光軸を有する光とに分離する偏光軸制御手段と、前記表示パネルと前記偏光軸制御手段との間に設けられ、前記光源から照射された光を前記第１の方向と実質的に直交する方向に進行させる光学素子と、を備えた画像表示装置であって、前記偏光軸制御手段は、第１の基板と、第２の基板と、前記第１の基板及び前記第２の基板との間に挟持された液晶層と、前記第１の基板に前記第１の方向に延びるように各々形成され、かつ前記第２の方向に所定の間隔で配列された複数の第１の電極と、前記第２の基板に前記第１の方向に延びるように各々形成され、かつ前記第２の方向に前記所定の間隔に対して２倍の間隔で配列された複数の第２の電極と、を備え、前記複数の第２の電極の各々は、隣り合う前記複数の第１の電極の少なくとも一部と重なるように形成されていることを特徴とする。
【０００８】
本発明のこのような構成によれば、バリアによって表示パネルから出射される光の一部が遮光されてしまうことがないため、観察者が観察する画像の輝度を低下させることない。また、偏光軸制御手段の複数の第１の電極及び複数の第２の電極に対する電圧の印加状態を制御することによって第１偏光制御領域及び第２偏光制御領域の第２の方向の長さを制御することができる。このため、光学素子による光の進行方向を切り替えることが可能となり、表示形態を３次元画像表示と２画面表示とに切り替えることが可能となる。
【０００９】
また、本発明は、前記複数の第１の電極は、前記第１の基板の外縁部に形成された一対の接続部と、該一対の接続部から交互に前記第１の基板の内側方向へ延在する複数の帯状電極部と、を有する一対のくし歯状電極の帯状電極部であり、前記複数の第２の電極は、前記第２の基板の外縁部に形成された一対の接続部と、該一対の接続部から交互に前記第２の基板の内側方向へ延在する複数の帯状電極部と、を有する一対のくし歯状電極の前記複数の帯状電極部であることが好ましい。
【００１０】
このような構成によれば、異なる電圧が印加される二つの電極を、基板上に単層の導電層で構成することが可能となり、偏光制御液晶パネル７を容易に作成することが可能となるという効果を有する。
【００１１】
また、本発明は、前記複数の第１の電極及び前記複数の第２の電極に印加する電圧を制御することにより、前記画像の表示モードを２画面表示モード又は３次元画像表示モードに切り替える制御手段を備えることが好ましい。
【００１２】
また、本発明は、前記制御手段は、前記２画面表示モードの時は、前記複数の第２の電極に対して隣り合う電極同士が逆位相となるように電圧を印加するとともに、前記複数の第１の電極に対して前記複数の第２の電極に印加される一方の電圧と同位相の電圧を印加し、前記３次元画像表示モードの時は、前記複数の第１の電極に対して隣り合う電極同士が逆位相となるように電圧を印加するとともに、前記複数の第２の電極に対して前記複数の第１の電極に印加される一方の電圧と同位相の電圧を印加することが好ましい。
【００１３】
このような構成によれば、制御手段は単純な周知の電気回路の組み合わせで構成することが可能なため、制御装置を容易に作成することができるという効果を有する。
【００１４】
また、本発明は、前記制御手段は、前記複数の第１の電極に対して隣り合う電極同士が逆位相となるように電圧を印加するとともに、前記複数の第２の電極に対して前記複数の第１の電極に印加する電圧の半分の周期の電圧を印加することで、前記画像の前記表示モードを２次元画像表示モードに切り替えることが好ましい。
【００１５】
このような構成によれば、さらに２次元画像を精細に表示することが可能な画像表示装置を実現することができるという効果を有する。
【００１６】
また、本発明は、前記制御手段は、前記複数の第２の電極に対して隣り合う電極同士が逆位相となるように電圧を印加するとともに、前記複数の第１の電極に対して前記複数の第２の電極に印加される他方の電圧と同位相の電圧を印加することで、前記画像の前記表示モードを第２の２画面表示モードに切り替えることが好ましい。
【００１７】
このような構成によれば、表示パネルが表示する画像の位置を入れ替えることなく、観察位置の異なる観察者へ提供する画像を入れ替えることが可能なため、画像処理が不要であり、画像の提供方向の入れ替え時に表示の遅延が発生しない。
【００１８】
また、本発明に係る電子機器は、前記画像表示装置を備えることを特徴とする。
【００１９】
本発明のこのような構成によれば、輝度の高い３次元画像と２画面表示を提供することが可能となる。
【発明を実施するための最良の形態】
【００２０】
（第１の実施形態）  
以下、本発明の第１の実施形態を図１から図１７を参照して説明する。  
本実施形態の画像表示装置１は、観察位置の異なる観察者１０及び２０に、それぞれ異なる画像を提供する２画面表示モード、観察者１０及び２０に３次元画像を提供する３次元画像表示モード、及び観察者１０及び２０に同一の２次元画像を提供する２次元画像表示モードの３つの画像表示モードを有し、これらの画像表示モードを切り替えることで様々な様態の画像の提供を行うことができるものである。
【００２１】
以下に、本実施形態の画像表示装置１の構成について説明する。図１は、本実施形態の画像表示装置を示した分解斜視図である。図２は、図１に示した本実施形態の画像表示装置の原理を説明するための観察者が上方から表示パネルを見た状態を示した図である。図３は、図１に示した画像表示装置の偏光制御液晶パネルの部分拡大図である。画像表示装置１は、図１及び図２に示すように、画像を表示するための表示パネル２と、表示パネル２を挟み込むように配置される偏光板３及び４と、表示パネル２に光を照射するための光源であるバックライト５と、バックライト５の観察者１０及び２０（図２参照）側に配置された偏光板６とを備えている。また、表示パネル２を挟み込むように配置される偏光板３及び４は、互いに直交する偏光軸を有している。この偏光板４は、第１の偏光軸を有する光を透過させるとともに、第１の偏光軸と実質的に直交する第２の偏光軸を有する光を吸収する機能を有している。また、偏光板３は、第１の偏光軸と実質的に直交する第２の偏光軸を有する光を透過させるとともに、第１の偏光軸を有する光を吸収する機能を有している。表示パネル２、偏光板３及び４の組み合わせは、いわゆる透過式の液晶パネルであり、互いに直交する第１の方向であるＦ方向と第２の方向であるＧ方向との２方向にマトリクス上に配列された画素を有する。また、偏光板６は、バックライト５から照射された光のうち、第１の偏光軸を有する光を透過するように構成されている。表示パネル２は、制御部３０に接続されており、制御部３０からの画像信号に応じて画素毎の光学特性を変化させることで、画像表示を可能にする。制御部３０は、図示しない外部装置から画像表示装置１へ入力される画像のデータをレンダリングし、画像信号を生成する。
【００２２】
また、制御部３０は、後述する偏光液晶パネル７の駆動回路１００に電気的に接続されており、画像表示モードの変更に応じて、駆動回路１００へ切り替え信号を出力する。本実施形態では、切り替え信号の出力は、画像表示装置１に接続された図示しない外部装置から制御部３０に入力される命令に基づいて行われる。なお、画像表示モード切替の命令は、図示しないスイッチ等の入力装置を介して観察者１０又は２０から手動により行われるものであってもよいし、画像表示装置１へ入力される画像のデータ中に含まれるものでもよい。また、制御部３０は、画像表示装置１の外部に設けられてもよい。
【００２３】
偏光板６の観察者１０及び２０側には、偏光軸制御手段である偏光制御液晶パネル７が配置されている。偏光制御液晶パネル７は、図３に示すように、２枚の透明基板間に液晶を挟持した液晶パネルで、Ｆ方向を長手方向としてＧ方向に所定の間隔であるピッチＷで配列された帯状の複数の単位領域７ｃを有している。また、偏光制御液晶パネル７は制御手段である駆動回路１００に接続されている。単位領域７ｃは、駆動回路１００からの信号に基づいて、単位領域７ｃ内の液晶の配向を変化させることで、第１の偏光軸を有する光を透過する透過状態と、第１の偏光軸を有する光を第１の偏光軸と実質的に直交する第２の偏光軸を有する光に変化させる偏光状態とのいずれかの状態をとる。また、駆動回路１００は、制御部３０に接続されており、制御部３０からの切り替え信号に基づいて、単位領域７ｃの状態を制御する。
【００２４】
偏光制御液晶パネル７は、単位領域７ｃの状態を、配列された複数の単位領域７ｃ一つ又は二つごとに交互に透過状態及び偏光状態とすることにより、バックライト５から偏光板６を介して照射された第１の偏光軸を有する光を透過させるための偏光制御領域７ａと、第１の偏光軸を有する光を第１の偏光軸と実質的に直交する第２の偏光軸を有する光に変化させるための偏光制御領域７ｂとを有する。偏光制御液晶パネル７の偏光制御領域７ａ及び７ｂは、観察者１０（２０）の左目１０ａ（２０ａ）及び右目１０ｂ（２０ｂ）を結んだ線分に対して実質的に直交する方向（図２の紙面に対して垂直方向（図１のＦ方向））に延びるとともに、Ｇ方向に交互に設けられている。
【００２５】
例えば、画像表示装置１の２画面表示モード時には、偏光制御液晶パネル７は、隣り合う二つの単位領域７ｃを透過状態とすることで偏光制御領域７ａを構成し、さらにその隣の隣り合う二つの単位領域７ｃを偏光状態とすることで偏光制御領域７ｂを構成するように制御される（図３の状態）。また例えば、画像表示装置１の３次元画像表示モード時には、偏光制御液晶パネル７は、単位領域７ｃを交互に透過状態と偏光状態とすることで偏光制御領域７ａ及び７ｂを構成するように制御される。また例えば、画像表示装置１の２次元画像表示モード時には、偏光制御液晶パネル７は、単位領域７ｃを交互に透過状態と偏光状態とすることで偏光制御領域７ａ及び７ｂを構成し、さらに、偏光制御領域７ａ及び７ｂが周期的に交互に入れ替わるように制御される。
【００２６】
また、図１及び図２に示すように、偏光制御液晶パネル７の観察者１０及び２０側には、光学素子であるレンチキュラーレンズ８が配置されている。このレンチキュラーレンズ８には、実質的に半円柱状のレンズ部８ａが、図１のＦ方向に延びるように複数形成されている。この複数のレンズ部８ａを含むレンチキュラーレンズ８は、偏光制御液晶パネル７により異なる偏光軸を有するように分離された光を、それぞれＦ方向と実質的に直交する二つの方向であり、観察者１０及び２０の方向へ進行させる機能を有している。レンチキュラーレンズ８が、光を進行させる方向とは、具体的には２画面表示モード時には異なる観察位置に位置する観察者１０及び２０の方向であり、３次元画像表示モード時には観察者１０（２０）の右目１０ｂ（２０ｂ）及び左目１０ａ（２０ａ）の方向である。
【００２７】
また、レンチキュラーレンズ８と表示パネル２に取り付けられた偏光板４との間には、位相差板９が配置されている。図９は、図１に示した画像表示装置の原理を説明するための観察者が側方から表示パネルを見た状態を示した図である。図１０は、図１に示した画像表示装置の原理を説明するための分解斜視図である。位相差板９は、第１の偏光軸を有する光を透過させる透過領域９ａと、第１の偏光軸を有する光を第２の偏光軸を有する光に変化させるための偏光領域９ｂとを含んでいる。また、透過領域９ａ及び偏光領域９ｂは、図１及び図１０に示すように、Ｆ方向と実質的に直交するＧ方向に延びるとともに、Ｆ方向に交互に設けられている。また、図９及び図１０に示すように、位相差板９の透過領域９ａ及び偏光領域９ｂは、それぞれ、表示パネル２のＧ方向に延びるとともに、Ｆ方向に交互に設けられた画素列２ａ及び２ｂに対応するように設けられている。
【００２８】
偏光制御液晶パネル７の構成について、以下に詳細に説明する。図４は、偏光制御液晶パネル７の分解斜視図である。図５は、偏光制御液晶パネル７の平面図である。図６は、図５のVI−VI断面図である。  
偏光制御液晶パネル７は、透光性を有するガラス、石英等でそれぞれ形成された第１の基板である下部基板７１及び第２の基板である上部基板７２と、下部基板７１及び上部基板７２間に挟持された液晶層７３を有する。液晶層７３は、例えばＴＮ（ツイステッドネマチック）液晶等により構成される。また、下部基板７１の液晶層７３側の表面には、ＩＴＯ等の透明導電膜からなる第１の電極である下部電極８１及び８２と、液晶層７３の初期配向を規制する配向膜７４が形成されている。また、上部基板７２の液晶層７３側の表面には、ＩＴＯ等の透明導電膜からなる第２の電極である上部電極８３及び８４と、液晶層７３の初期配向を規制する配向膜７５が形成されている。
【００２９】
図４に示すように、下部電極８１及び８２は、Ｆ方向及びＧ方向と直交する方向から見て、下部基板７１の表示パネル２の画素が形成されている画素領域２ｃよりも外側であってＧ方向に平行な２辺に沿う領域に、それぞれ形成された接続部８１ｂ及び８２ｂと、該接続部８１ｂ及び８２ｂから下部基板７１の内側へくし歯状にＦ方向に平行に延在する複数の帯状電極部８１ａ及び８２ａとを有するくし歯状電極である。
【００３０】
帯状電極部８１ａ及び８２ａは、長手方向（Ｆ方向）に、Ｆ方向及びＧ方向と直交する方向から見て、下部基板７１の表示パネル２の画素領域２ｃを貫くように形成されている。また、下部帯状電極部８１ａ及び８２ａは、Ｆ方向及びＧ方向と直交する方向から見て、下部基板７１の表示パネル２の画素領域２ｃ全域において、幅方向（Ｇ方向）に、単位領域７ｃが配列された間隔であるピッチＷの２倍となる間隔であるピッチ２Ｗで配列されている。また、下部電極８１及び８２は、それぞれのくし歯状の帯状電極部８１ａ及び８２ａが互いに重ならず、交互に噛み合うように形成されている。
【００３１】
すなわち、下部基板７１の表示パネル２の画素領域２ｃ内には、Ｆ方向に延在する帯状電極部８１ａ及び８２ａがＧ方向にピッチＷで交互に配列されて形成されている。
【００３２】
一方、上部電極８３及び８４は、Ｆ方向及びＧ方向と直交する方向から見て、上部基板７２の表示パネル２の画素が形成されている画素領域２ｃよりも外側であってＧ方向に平行な２辺に沿う領域に、それぞれ形成された接続部８３ｂ及び８４ｂと、該接続部８３ｂ及び８４ｂから上部基板７２の内側へくし歯状にＦ方向に平行に延在する複数の帯状電極部８３ａ及び８４ａとを有するくし歯状電極である。
【００３３】
帯状電極部８３ａ及び８４ａは、長手方向（Ｆ方向）に、Ｆ方向及びＧ方向と直交する方向から見て、上部基板７２の表示パネル２の画素領域２ｃを貫くように形成されている。また、帯状電極部８３ａ及び８４ａは、Ｆ方向及びＧ方向と直交する方向から見て、下部基板７１の表示パネル２の画素領域２ｃ全域において、幅方向（Ｇ方向）に、単位領域７ｃが配列された間隔であるピッチＷの４倍となる間隔であるピッチ４Ｗで配列されている。また、上部電極８３及び８４は、それぞれのくし歯状の帯状電極部８３ａ及び８４ａが互いに重ならず、交互に噛み合うように形成されている。
【００３４】
すなわち、上部基板７２の表示パネル２の画素領域２ｃ内には、Ｆ方向に延在する帯状電極部８３ａ及び８４ａがＧ方向に、帯状電極部８１ａ及び８２ａの配列ピッチＷの２倍のピッチ２Ｗで、交互に配列されて形成されている。
【００３５】
また、図５に示すように、偏光制御液晶パネル７を組み立てた状態において、Ｆ方向及びＧ方向と直交する方向から見て、上部電極８３は、帯状電極部８３ａの長手方向中心線が、下部電極８１（図５中右上がりの点線のハッチングで示した領域）及び８２（図５中右下がりの点線のハッチングで示した領域）の帯状電極部８１ａ及び８２ａのそれぞれの長手方向中心線の中線と略一致するように配置されて形成されている。上部電極８４の帯状電極部８４ａも同様に、中心線が下部電極８１及び８２の帯状電極部８１ａ及び８２ａのそれぞれの長手方向中心線の中線と略一致する。また、上部電極８３及び８４の帯状電極部８３ａ及び８４ａの短手方向幅は、下部電極８１及び８２の帯状電極部８１ａ及び８２ａを組み合わせた幅と略一致するように形成されている。このため、偏光制御液晶パネル７を組み立てた状態において、Ｆ方向及びＧ方向と直交する方向から見て、上部電極８３及び８４の帯状電極部８３ａ及び８４ａのそれぞれに、一対の下部電極８１及び８２の帯状電極部８１ａ及び８２ａが重なるように配置されている。
【００３６】
ここで、図３に示した偏光制御液晶パネル７の単位領域７ｃは、下部電極８１及び８２の帯状電極部８１ａ及び８２ａのいずれか一方と、上部電極８３及び８４の帯状電極部８３ａ及び８４ａのいずれか一方とが重なり合っている領域に相当する。すなわち、帯状電極部８１ａ、８２ａ、８３ａ、及び８４ａの互いに対向する部分間における電位差により液晶層７３の配向が決定され、偏光制御液晶パネル７の偏光制御領域７ａ及び７ｂが形成される。
【００３７】
本実施形態では、ある単位領域７ｃにおいて、下部電極８１及び８２と上部電極８３及び８４との間に充分な電位差が与えられている場合、その領域は第１の偏光軸を有する光を透過させるための偏光制御領域７ａとなり、下部電極８１及び８２と上部電極８３及び８４との間に電位差が生じていない場合、その領域は第１の偏光軸を有する光を第１の偏光軸と実質的に直交する第２の偏光軸を有する光に変化させるための偏光制御領域７ｂとなる。
【００３８】
下部電極８１及び８２と上部電極８３及び８４との電位差は、互いに対向しあう各電極に印加される電圧により決定されるものであり、各電極に印加する電圧は、以下に説明する制御手段である駆動回路１００によって制御される。図７は、駆動回路１００の電気回路図である。
【００３９】
駆動回路１００は、発振回路１１０と、分周回路１２０と、ＡＮＤ回路１０１から１０４と、ＸＯＲ回路１０５、１０６と、ＮＡＮＤ回路１０７と、スイッチ１３１から１３４とを有する。出力端ＯＵＴ１からＯＵＴ４は、それぞれ下部電極８１、８２、上部電極８３、８４に接続に接続されている。
【００４０】
スイッチ１３２、１３３及び１３４はそれぞれ入力端を二つ有し、入力端はそれぞれ電源電圧５Ｖと接地電位ＧＮＤに接続されている。スイッチ１３２の出力端は、ＮＡＮＤ回路１０７の両方の入力端、及びＸＯＲ回路１０５の一方の入力端に接続されている。スイッチ１３３の出力端は、発信回路１１０に接続されている。スイッチ１３４の出力端は、分周回路１２０、及びＡＮＤ回路１０１から１０４のそれぞれの一方の入力端に接続されている。また、スイッチ１３１の出力端は、ＡＮＤ回路１０１の他方の入力端、及びＸＯＲ回路１０５の他方の入力端に接続されている。  
スイッチ１３１から１３４は、制御部３０からの切り替え信号によって、二つの入力端のうちのどちらか一方と出力端とを選択的に接続するように切り替えられる。
【００４１】
発振回路１１０は、ＣＲ発振回路であり、ＮＡＮＤ回路１１１から１１３と、コンデンサ１１５と、抵抗１１６、１１７と、スイッチ１１８とを有し、スイッチ１３３からＮＡＮＤ回路１１１に電源電圧５Ｖが供給されることにより、クロック信号Ｖ０を出力する。
【００４２】
発振回路１１０が出力するクロック信号Ｖ０の周波数は、スイッチ１１８が抵抗１１６又は１１７のどちらかに接続されるかにより、抵抗１１６及び１１７の抵抗値により決定される、異なる２種類の周波数から選択される。スイッチ１１８は、制御部３０からの切り替え信号によって、二つの抵抗１１６又は１１７のいずれか一方に接続するように切り替えられる。
【００４３】
分周回路１２０は、二つのＤタイプフリップフロップ（以下、ＤＦＦと称する）１２１及び１２２を有する。一つ目のＤＦＦ１２１のクロック入力端子ＣＫ１は発振回路１１０の出力と接続されており、反転出力端子ＱＢ１は入力端子Ｄ１に接続されている。ＤＦＦ１２１は、発振回路１１０から入力されるクロック信号Ｖ０の半分の周波数のクロック信号Ｖ１を、出力端子Ｑ１から出力する。ＤＦＦ１２１は、クロック信号Ｖ０を１／２分周することにより、デューティ比５０％の矩形波を有するクロック信号Ｖ１を得るものである。
【００４４】
一方、二つ目のＤＦＦ１２２のクロック入力端子ＣＫ２はＤＦＦ１２１の出力端子Ｑ１と接続されており、反転出力端子ＱＢ２は入力端子Ｄ２に接続されている。ＤＦＦ１２２は、ＤＦＦ１２１から入力されたクロック信号Ｖ１の半分の周波数のクロック信号Ｖ２を、出力端子Ｑ２から出力する。
【００４５】
ＤＦＦ１２１の出力端子Ｑ１は、スイッチ１３１の一方の入力端、ＸＯＲ回路１０６の一方の入力端、及びＡＮＤ回路１０３の他方の入力端に接続されている。また、ＤＦＦ１２２の出力端子Ｑ２は、スイッチ１３１の他方の入力端に接続されている。
【００４６】
ＮＡＮＤ回路１０７の出力端は、ＸＯＲ回路１０６の他方の入力端に接続されている。ＸＯＲ回路１０５及び１０６の出力端は、それぞれＡＮＤ回路１０２及び１０４の他方の入力端に接続されている。
【００４７】
また、４つのＡＮＤ回路１０１から１０４の出力端は、それぞれ出力端ＯＵＴ１からＯＵＴ４に接続されている。出力端ＯＵＴ１からＯＵＴ４は、それぞれ下部電極８１、８２、上部電極８３、８４に接続されており、ＡＮＤ回路１０１から１０４から出力されるクロック信号は、それぞれ下部電極８１、８２、上部電極８３、８４に出力される。
【００４８】
以下に、駆動回路１００の動作と、駆動回路１００から下部電極８１及び８２と上部電極８３及び８４へ出力される電圧波形について説明する。図８は、出力端ＯＵＴ１からＯＵＴ４から出力される電圧を説明するためのタイミングチャートである。
【００４９】
まず、２画面表示モードの時は、制御部３０からの切り替え信号により、スイッチ１１８の入力端は抵抗１１６に接続され、スイッチ１３１の入力端はＤＦＦ１２１の出力端子Ｑ１に接続され、スイッチ１３２の入力端は接地電位ＧＮＤに接続される。また、スイッチ１３３及び１３４の入力端は、電源電圧５Ｖに接続される。よって、図８（ａ）に示すように、出力端ＯＵＴ１、ＯＵＴ２及びＯＵＴ３からは、ＤＦＦ１２１の出力端子Ｑ１から出力されたクロック信号Ｖ１が出力される。一方、出力端ＯＵＴ４からは、ＸＯＲ回路１０６によって、クロック信号Ｖ１が反転された信号が出力される。
【００５０】
すなわち、駆動回路１００は、上部電極８３及び８４に、上部電極８３及び８４の隣り合う帯状電極部８３ａ及び８４ａ同士が逆位相となるように電圧を印加し、下部電極８１及び８２に、上部電極８３又は８４のいずれかに印加するいずれか一方の電圧と同位相の電圧を印加する。よって、上部電極８４と、上部電極８４に対向する下部電極８１及び８２との間に電位差が生じ、偏光制御液晶パネル７には、単位領域７ｃ二つ毎に偏光制御領域７ａ及び７ｂが交互に形成される。
【００５１】
また、３次元画像表示モードの時は、制御部３０からの切り替え信号により、スイッチ１１８の入力端は抵抗１１６に接続され、スイッチ１３１の入力端はＤＦＦ１２１の出力端子Ｑ１に接続され、スイッチ１３２の入力端は電源電圧５Ｖに接続される。また、スイッチ１３３及び１３４の入力端は、電源電圧５Ｖに接続される。よって、図８（ｂ）に示すように、出力端ＯＵＴ１、ＯＵＴ３及びＯＵＴ４からは、ＤＦＦ１２１の出力端子Ｑ１から出力されたクロック信号Ｖ１が出力される。一方、出力端ＯＵＴ２からは、ＸＯＲ回路１０５によって、クロック信号Ｖ１が反転された信号が出力される。
【００５２】
すなわち、駆動回路１００は、下部電極８１及び８２に、下部電極８１及び８２の隣り合う帯状電極部８１ａ及び８２ａ同士が逆位相となるように電圧を印加し、上部電極８３及び８４に、下部電極８１又は８２のいずれかに印加するいずれか一方の電圧と同位相の電圧を印加する。よって、下部電極８２と、下部電極８２に対向する上部電極８３及び８４との間に電位差が生じ、偏光制御液晶パネル７には、単位領域７ｃ一つ毎に偏光制御領域７ａ及び７ｂが交互に形成される。
【００５３】
また、２次元画像表示モードの時は、制御部３０からの切り替え信号により、スイッチ１１８の入力端は抵抗１１７に接続され、スイッチ１３１の入力端はＤＦＦ１２２の出力端子Ｑ２に接続され、スイッチ１３２の入力端は電源電圧５Ｖに接続される。また、スイッチ１３３及び１３４の入力端は、電源電圧５Ｖに接続される。よって、図８（ｃ）に示すように、出力端ＯＵＴ３及びＯＵＴ４からは、ＤＦＦ１２１の出力端子Ｑ１から出力されたクロック信号Ｖ１が出力される。また、出力端ＯＵＴ１からは、ＤＦＦ１２２の出力端子Ｑ２から出力されたクロック信号Ｖ２が出力され、出力端ＯＵＴ２からは、ＸＯＲ回路１０５によって、クロック信号Ｖ２が反転された信号が出力される。
【００５４】
すなわち、駆動回路１００は、下部電極８１及び８２に、下部電極８１及び８２の隣り合う帯状電極部８１ａ及び８２ａ同士が逆位相となるように電圧を印加し、上部電極８３及び８４に、下部電極８１及び８２に印加する電圧の半分の周期の電圧を印加する。よって、下部電極８１と上部電極８３及び８４との間と、下部電極８２と上部電極８３及び８４との間とに交互に周期的に電位差が生じる。よって偏光制御液晶パネル７には、単位領域７ｃ一つ毎に偏光制御領域７ａ及び７ｂが交互に形成され、かつ偏光制御領域７ａ及び７ｂは周期的に交互に入れ替わる。このとき、偏光制御領域７ａ及び７ｂが入れ替わる周期は、発振回路１１０の抵抗１１７により決定されるクロック信号Ｖ０の４倍の周期となり、本実施形態では、１／６０秒である。
【００５５】
以下に、本実施形態の画像表示装置１の動作の詳細を説明する。  
（２画面表示モード）  
図２、図９〜図１１を参照して、本実施形態の画像表示装置１の２画面表示モードの動作について説明する。図１１は、図１に示した本実施形態の画像表示装置の２画面表示モード時において観察者が観察する表示パネルの領域を説明するための図である。
【００５６】
まず、外部装置から制御部３０に、異なる二つの画像の情報が含まれている画像データが入力される。また、同時に外部装置からは、制御部３０に画像表示モードの切り替え命令がなされる。表示パネル２に、制御部３０から画像信号が供給されることにより画像が表示される。制御部３０から供給される画像信号は、画像Ｌ２（例えば、テレビ用画像）及び画像Ｒ２（例えば、カーナビゲーション用画像）の２つの画像信号を有している。本実施形態では、図１０に示すように、２画面表示モード時には、表示パネル２の画素列２ａに、画像Ｌ２が表示されるとともに、画素列２ｂに、画像Ｒ２が表示される。
【００５７】
図２及び図１０を参照して、異なる観察位置に位置する観察者１０及び２０に異なる画像を提供するための偏光制御液晶パネル７及び表示パネル２の構成について説明する。２画面表示モード時における画像表示装置１では、図２に示すように、偏光制御液晶パネル７の偏光制御領域７ａ及び７ｂからなる組は、レンチキュラーレンズ８の各々のレンズ部８ａに対応して１組ずつ設けられている。つまり、２画面表示時には、上述したように、偏光制御液晶パネル７の偏光制御領域７ａ及び７ｂは、それぞれ、二つの単位領域７ｃ（図３参照）により構成される。
【００５８】
上記構成において、バックライト５から照射された光は、バックライト５の観察者１０及び２０側に配置された偏光板６により、第１の偏光軸を有する光のみを透過して、偏光制御液晶パネル７に向かって進行する。そして、第１の偏光軸を有する光が、偏光制御液晶パネル７の偏光制御領域７ａ及び７ｂを透過する。この際、偏光制御液晶パネル７の偏光制御領域７ａに入射した光は、偏光軸が変化されることなく透過する一方、偏光制御液晶パネル７の偏光制御領域７ｂに入射した光は、偏光軸が実質的に９０°変化されて（第２の偏光軸を有した状態で）出射される。その後、図２に示すように、第１の偏光軸を有した状態で偏光制御領域７ａを出射した光は、レンチキュラーレンズ８により、観察者１０に向かって進行するように集光される。また、第１の偏光軸と実質的に直交する第２の偏光軸を有した状態で偏光制御領域７ｂを出射した光は、レンチキュラーレンズ８により、観察者２０に向かって進行するように集光される。
【００５９】
そして、図１０に示すように、第１の偏光軸を有した状態で、観察者１０に向かって進行する光は、透過領域９ａ及び偏光領域９ｂを有する位相差板９に入射する。そして、第１の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化されて（第２の偏光軸を有した状態で）出射される。その後、第１の偏光軸を有した状態で位相差板９の透過領域９ａから出射された観察者１０に向かう光は、表示パネル２と位相差板９との間に配置される偏光板４に入射されるとともに、そのまま偏光板４を透過して表示パネル２の画素列２ａに入射する。これに対して、第１の偏光軸と実質的に直交する第２の偏光軸を有した状態で位相差板９の偏光領域９ｂから出射された観察者１０に向かう光は、表示パネル２と位相差板９との間に配置される偏光板４に入射されて吸収される。このため、観察者１０には、画像Ｒ２が表示されている表示パネル２の画素列２ｂを通過する光が到達しないので、観察者１０は、表示パネル２の画素列２ｂに表示される画像Ｒ２を見ることができない。これにより、観察者１０は、図１１に示すように、表示パネル２の画素列２ａに表示される画像Ｌ２のみを見ることができる。
【００６０】
また、第２の偏光軸を有した状態で、観察者２０に向かって進行する光は、図１０に示すように、透過領域９ａ及び偏光領域９ｂを有する位相差板９に入射する。そして、第１の偏光軸と実質的に直交する第２の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化された状態（第１の偏光軸を有した状態）で出射される。その後、第１の偏光軸と実質的に直交する第２の偏光軸を有した状態で位相差板９の透過領域９ａから出射されて観察者２０に向かう光は、表示パネル２と位相差板９との間に配置される偏光板４に入射されて吸収される。このため、観察者２０には、画像Ｌ２が表示されている表示パネル２の画素列２ａを通過する光が到達しないので、観察者２０は、表示パネル２の画素列２ａに表示される画像Ｌ２を見ることができない。これに対して、第１の偏光軸を有した状態で位相差板９の偏光領域９ｂから出射されて観察者２０に向かう光は、表示パネル２と位相差板９との間に配置される偏光板４に入射されるとともに、そのまま偏光板４を透過して表示パネル２の画素列２ｂに入射する。これにより、観察者２０は、図１１に示すように、表示パネル２の画素列２ｂに表示される画像Ｒ２のみを見ることが可能となる。
【００６１】
（３次元画像表示モード）  
次に、図１２〜図１４を参照して、本実施形態の画像表示装置１の３次元画像表示モードの動作について説明する。図１２は、図１に示した本実施形態の画像表示装置の３次元画像表示の原理を説明するための観察者が上方から表示パネルを見た状態を示した図である。図１３は、画像表示装置の３次元画像表示の原理を説明するための分解斜視図である。図１４は、画像表示装置の３次元画像表示モード時において観察者が観察する表示パネルの領域を説明するための図である。
【００６２】
まず、外部装置から制御部３０に、異なる二つの画像の情報が含まれている画像データが入力される。また、同時に外部装置からは、制御部３０に画像表示モードの切り替え命令がなされる。表示パネル２に、制御部３０から画像信号が供給されることにより画像が表示される。制御部３０から供給される画像信号は、観察者１０及び２０の左目１０ａ及び２０ａに入射させるための左目用画像Ｌ３、及び観察者１０及び２０の右目１０ｂ及び２０ｂに入射させるための右目用画像Ｒ３の２つの画像信号を有している。本実施形態では、図１３に示すように、３次元画像表示モード時には、表示パネル２の画素列２ａには、左目用画像Ｌ３が表示されているとともに、画素列２ｂには、右目用画像Ｒ３が表示される。
【００６３】
異なる観察位置に位置する観察者１０及び２０に３次元画像を提供するための偏光制御液晶パネル７及び表示パネル２の構成について説明する。この偏光制御液晶パネル７の偏光制御領域７ａ及び７ｂからなる組は、図１２に示すように、レンチキュラーレンズ８の各々レンズ部８ａに対応して２組ずつ設けられている。つまり、３次元画像表示モード時には、上述したように、偏光制御液晶パネル７の偏光制御領域７ａ及び７ｂは、それぞれ、一つの単位領域７ｃ（図３参照）により構成される。
【００６４】
上記構成において、バックライト５から照射された光は、バックライト５の観察者１０及び２０側に配置された偏光板６により、第１の偏光軸を有する光のみを透過して、偏光制御液晶パネル７に向かって進行する。そして、第１の偏光軸を有する光が、偏光制御液晶パネル７の偏光制御領域７ａ及び７ｂを透過する。この際、偏光制御液晶パネル７の偏光制御領域７ａに入射した光は、偏光軸が変化されることなく透過する一方、偏光制御液晶パネル７の偏光制御領域７ｂに入射した光は、偏光軸が実質的に９０°変化されて（第２の偏光軸を有した状態で）出射される。その後、第１の偏光軸を有した状態で偏光制御領域７ａを出射した光は、レンチキュラーレンズ８により、観察者１０及び２０の左目１０ａ及び２０ａに向かって進行するように集光される。また、第１の偏光軸と実質的に直交する第２の偏光軸を有した状態で偏光制御領域７ｂを出射した光は、レンチキュラーレンズ８により、観察者１０及び２０の右目１０ｂ及び２０ｂに向かって進行するように集光される。
【００６５】
そして、図１３に示すように、第１の偏光軸を有した状態で、観察者１０及び２０の左目１０ａ及び２０ａに向かって進行する光は、透過領域９ａ及び偏光領域９ｂを有する位相差板９に入射する。そして、第１の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化されて（第２の偏光軸を有した状態で）出射される。その後、第１の偏光軸を有した状態で位相差板９の透過領域９ａから出射されて観察者１０及び２０の左目１０ａ及び２０ａに向かう光は、表示パネル２と位相差板９との間に配置される偏光板４に入射されるとともに、そのまま偏光板４を透過して表示パネル２の画素列２ａに入射する。これに対して、第１の偏光軸と実質的に直交する第２の偏光軸を有した状態で位相差板９の偏光領域９ｂから出射されて観察者１０及び２０の左目１０ａ及び２０ａに向かう光は、表示パネル２と位相差板９との間に配置される偏光板４に入射されて吸収される。このため、観察者１０及び２０の左目１０ａ及び２０ａには、右目用画像Ｒ３が表示されている表示パネル２の画素列２ｂを通過する光が到達しないので、観察者１０及び２０の左目１０ａ及び２０ａは、表示パネル２の画素列２ｂに表示される右目用画像Ｒ３を見ることができない。これにより、観察者１０及び２０の左目１０ａ及び２０ａには、図１４に示すように、表示パネル２の画素列２ａに表示される左目用画像Ｌ３が入射される。
【００６６】
また、第２の偏光軸を有した状態で、観察者１０及び２０の右目１０ｂ及び２０ｂに向かって進行する光は、図１３に示すように、透過領域９ａ及び偏光領域９ｂを有する位相差板９に入射する。そして、第２の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化された状態（第１の偏光軸を有した状態）で出射される。その後、第２の偏光軸を有した状態で位相差板９の透過領域９ａから出射されて観察者１０及び２０の右目１０ｂ及び２０ｂに向かう光は、表示パネル２と位相差板９との間に配置される偏光板４に入射されて吸収される。このため、観察者１０及び２０の右目１０ｂ及び２０ｂには、左目用画像Ｌ３が表示されている表示パネル２の画素列２ａを通過する光が到達しないので、観察者１０及び２０の右目１０ｂ及び２０ｂは、表示パネル２の画素列２ａに表示される左目用画像Ｌ３を見ることができない。これに対して、第１の偏光軸を有した状態で位相差板９の偏光領域９ｂから出射されて観察者１０及び２０の右目１０ｂ及び２０ｂに向かう光は、表示パネル２と位相差板９との間に配置される偏光板４に入射されるとともに、そのまま偏光板４を透過して表示パネル２の画素列２ｂに入射する。これにより、観察者１０及び２０の右目１０ｂ及び２０ｂには、図１４に示すように、表示パネル２の画素列２ｂに表示される右目用画像Ｒ３が入射される。上記したように、観察者１０及び２０の左目及び右目に、それぞれ、両眼視差を有する左目用画像Ｌ３及び右目用画像Ｒ３が入射されることにより、観察者１０及び２０は、３次元画像を見ることが可能となる。
【００６７】
（画像劣化の少ない２次元画像表示）  
次に、図１２、図１５及び図１６を参照して、本実施形態の画像表示装置１の２次元画像表示モードの動作について説明する。図１５は、本実施形態の画像表示装置の２次元画像表示時における偏光制御液晶パネル、位相差板及び表示パネルを示した図である。図１６は、画像表示装置の２次元画像表示時において観察者が観察する表示パネルの領域を説明するための図である。
【００６８】
まず、外部装置から制御部３０に、画像データが入力される。また、同時に外部装置からは、制御部３０に画像表示モードの切り替え命令がなされる。図１５に示すように、２次元画像表示モード時には、表示パネル２には、０／１２０秒〜２／１２０秒の間では２次元画像Ｓ１が表示されており、２／１２０秒〜４／１２０秒の間では２次元画像Ｓ２が表示されている。そして、順次、１／６０秒毎に２次元画像Ｓ１及びＳ２が交互に表示される。
【００６９】
異なる観察位置に位置する観察者１０及び２０に２次元画像を提供するための偏光制御液晶パネル７及び表示パネル２の構成について説明する。この偏光制御液晶パネル７の偏光制御領域７ａ及び７ｂからなる組は、図１２に示した３次元画像表示モードと同様に、レンチキュラーレンズ８の各々のレンズ部８ａに対応して２組ずつ設けられている。つまり、画像劣化の少ない２次元画像表示時には、偏光制御液晶パネル７の偏光制御領域７ａ及び７ｂは、それぞれ、一つの単位領域７ｃ（図３参照）により構成される。
【００７０】
ここで、２次元画像の表示時には、偏光制御液晶パネル７は、表示パネル２の１／２フレーム期間（１／１２０秒）毎に、偏光制御液晶パネル７の偏光制御領域７ａと７ｂとが入れ替わるように制御される。上記構成において、０／１２０秒〜１／１２０秒の間では、図１５及び図１６に示すように、観察者１０及び２０の左目１０ａ及び２０ａには、表示パネル２の画素列２ａに表示される２次元画像Ｓ１が入射する。また、観察者１０及び２０の右目１０ｂ及び２０ｂには、表示パネル２の画素列２ｂに表示される２次元画像Ｓ１が入射する。そして、１／１２０秒〜２／１２０秒の間では、偏光制御液晶パネル７の偏光制御領域７ａ及び７ｂが入れ替わるように制御されるため、観察者１０及び２０の左目１０ａ及び２０ａに向かう光は、偏光制御液晶パネル７の偏光制御領域７ｂを透過することにより、偏光軸が実質的に９０°変化された状態で、位相差板９に向かって進行する。そのため、図１６に示すように、１／１２０秒〜２／１２０秒の間では、観察者１０及び２０の左目１０ａ及び２０ａには、表示パネル２の画素列２ｂに表示される２次元画像Ｓ１が入射するとともに、観察者１０及び２０の右目１０ｂ及び２０ｂには、表示パネル２の画素列２ａに表示される２次元画像Ｓ１が入射する。
【００７１】
そして、２／１２０秒〜３／１２０秒の間では、０／１２０秒〜１／１２０秒の間と同様に、観察者１０及び２０の左目１０ａ及び２０ａには、表示パネル２の画素列２ａに表示される２次元画像Ｓ２が入射するとともに、観察者１０及び２０の右目１０ｂ及び２０ｂには、表示パネル２の画素列２ｂに表示される２次元画像Ｓ２が入射する。そして、３／１２０秒〜４／１２０秒の間では、１／１２０秒〜２／１２０秒の間と同様に、観察者１０及び２０の左目１０ａ及び２０ａには、表示パネル２の画素列２ｂに表示される２次元画像Ｓ２が入射するとともに、観察者１０及び２０の右目１０ｂ及び２０ｂには、表示パネル２の画素列２ａに表示される２次元画像Ｓ２が入射する。このようにして、２／１２０秒（１／６０秒）の間に、観察者１０及び２０に、表示パネル２の全域に表示される２次元画像Ｓを入射させることが可能となるので、観察者１０及び２０に、画像劣化の少ない２次元画像を提供することが可能となる。
【００７２】
上述した本実施形態の画像表示装置は、以下のような効果を有する。  
バックライト５と表示パネル２との間に、バックライト５から偏光板６を介して照射された光を、第１の偏光軸を有する光と、第１の偏光軸と実質的に直交する第２の偏光軸を有する光とに分離するための偏光制御液晶パネル７を設けるとともに、偏光制御液晶パネル７と表示パネル２との間に、偏光制御液晶パネル７により異なる偏光軸を有するように分離された光を、それぞれ、所定の方向に進行させるレンチキュラーレンズ８を設けることによって、バックライト５から照射された光を、表示パネル２に入射させる前に、観察位置の異なる観察者１０及び２０に向かうように分離することができる。これにより、画素ピッチの小さい高精細な表示パネル２を用いたとしても、表示パネル２の画素ピッチに依存することなく、観察者１０及び２０に向かって光が進行するので、観察位置の異なる観察者１０及び２０に異なる高精細な画像を提供することができる。
【００７３】
また、偏光制御液晶パネル７により異なる偏光軸を有するように分離された光を、それぞれ、所定の方向に進行させるレンチキュラーレンズ８を設けることによって、表示パネル２を出射した光を、所定の角度の方向に進行するように制限する部材を介して進行させる場合と異なり、観察者１０及び２０に向かって進行する光が遮光されないので、観察者１０及び２０に向かって進行する光の輝度が低下するのを抑制することができる。これにより、画像が暗く見えるのを抑制することができる。
【００７４】
また、偏光制御液晶パネル７に、第１の偏光軸を有する光を透過させるための偏光制御領域７ａと、第１の偏光軸を有する光を、第１の偏光軸と実質的に直交する第２の偏光軸を有する光に変化させるための偏光制御領域７ｂとを設けるとともに、レンチキュラーレンズ８に、偏光制御領域７ａ及び７ｂからなる組に対応して実質的に半円柱状のレンズ部８ａを設けることによって、第１の偏光軸を有する光と、第１の偏光軸と実質的に直交する第２の偏光軸を有する光とを、レンチキュラーレンズ８のレンズ部８により、観察位置の異なる観察者１０及び２０に向かうように分離することができるので、容易に、観察位置の異なる観察者１０及び２０に異なる画像を提供することができる。
【００７５】
また、表示パネル２に、位相差板９の図１のＧ方向に延びるように設けられた透過領域９ａ及び偏光領域９ｂに対応するように、画素列２ａ及び２ｂを設けることによって、位相差板９の透過領域９ａを透過した光を、表示パネル２の画素列２ａに入射させるとともに表示パネル２の画素列２ａに表示される画像Ｌ２（図９参照）を保持させた状態で、観察者１０に向かって進行させることができる。また、偏光領域９ｂを透過した光を、表示パネル２の画素列２ｂに入射させるとともに表示パネル２の画素列２ａに表示される画像Ｒ２（図９参照）を保持させた状態で、観察者２０に向かって進行させることができる。これにより、容易に、観察位置の異なる観察者１０及び２０に、異なる画像を提供することができる。
【００７６】
また、偏光制御液晶パネル７の下部電極８１及び８２、上部電極８３及び８３に印加する電圧を制御することにより、偏光制御液晶パネル７に、第１の偏光軸を有する光を透過させるための偏光制御領域７ａと、第１の偏光軸を有する光を第１の偏光軸と実質的に直交する第２の偏光軸を有する光に変化させるための偏光制御領域７ｂとを容易に形成することができる。このため、容易に、バックライト５から照射された光の偏光軸を制御することができる。これにより、バックライト５から照射される光を、細分化された偏光制御領域７ａ及び７ｂを介して、レンチキュラーレンズ８のレンズ部８ａに入射させることにより、光の到達領域を細分化することができる。このため、光の到達領域を、観察者１０（２０）の右目１０ｂ（２０ｂ）及び左目１０ａ（２０ａ）にそれぞれ対応するように細分化することができるので、両眼視差のある画像を観察者１０（２０）の左目１０ａ（２０ａ）及び右目１０ｂ（２０ｂ）に入射させることができる。これにより、異なる観察位置に位置する観察者１０及び２０に３次元画像を提供することができる。
【００７７】
また、偏光制御液晶パネル７の、下部電極８１及び８２は、それぞれがくし歯状に形成され、帯状電極８１ａと８２ａとが噛み合うように下部基板７１に配置されている。また、同様に、上部電極８３及び８３は、それぞれがくし歯状に形成され、帯状電極８３ａと８４ａとが噛み合うように上部基板７２に配置されている。このため、異なる電圧が印加される二つの電極を、基板上に単層の導電層で構成することが可能となり、偏光制御液晶パネル７を容易に作成することができる。また、それぞれの帯状電極部の並ぶピッチを容易に小さくすることが可能となる。
【００７８】
また、偏光制御液晶パネル７を制御する駆動回路１００は、発振回路１１０、分周回路１２０及び論理回路等の単純な周知の電気回路の組み合わせで構成されているため、容易に作成することが可能である。
【００７９】
次に、本実施形態に係る画像表示装置を適用可能な電子機器の具体例について図１７を参照して説明する。
【００８０】
本実施形態に係る画像表示装置を、携帯電話機の表示部に適用した例について説明する。図１７は、この携帯電話機の構成を示す斜視図である。同図に示すように、携帯電話機２００は、複数の操作ボタン２０１のほか、受話口２０２、送話口２０３とともに、本実施形態に係る画像表示装置を適用した表示部２０４を備える。
【００８１】
なお、本実施形態に係る画像表示装置を適用可能な電子機器としては、図７に示した携帯電話機の他にも、パーソナルコンピュータ、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００８２】
（第２の実施形態）  
以下、本発明の第２の実施形態を図１８及び図１９を参照して説明する。  
第２の実施形態の画像表示装置は、第１の実施形態の画像表示装置１に対し、駆動回路１００の構成のみが異なる。よって、本実施形態では、画像表示装置１の第１の実施形態と同様の構成要素については同一の符号を付し、その説明を適宜に省略するものとする。
【００８３】
本実施形態の画像表示装置１は、観察位置の異なる観察者１０及び２０に、それぞれ異なる画像を提供する２画面表示モード、観察者１０及び２０に３次元画像を提供する３次元画像表示モード、及び観察者１０及び２０に同一の２次元画像を提供する２次元画像表示モードの３つの画像表示モードを有し、これらの画像表示モードを切り替えることで様々な様態の画像の提供を行うことができるものである。また、本実施形態の２画面表示モードは、第１の実施形態とは異なり、観察者１０に画像Ｌ２を提供すると同時に観察者２０に画像Ｒ２を提供する第１の２画面表示モードと、これとは逆に、観察者１０に画像Ｒ２を提供すると同時に観察者２０に画像Ｌ２を提供する第２の２画面表示モードとの２つのモードを有し、これらが切り替えられるものである。
【００８４】
以下に、本実施形態の偏光制御液晶パネル７を制御する駆動回路３００の構成と動作について以下に説明する。図１８は、制御回路の電気回路図である。図１９は、出力端から出力される電圧を説明するためのタイミングチャートである。
【００８５】
駆動回路３００は、発信回路１１０と、分周回路１２０と、ＡＮＤ回路３０１から３０５と、ＸＯＲ回路３０６から３０９と、ＮＡＮＤ回路３１０と、スイッチ３３１から３３５とを有する。出力端ＯＵＴ１からＯＵＴ４は、それぞれ下部電極８１、８２、上部電極８３、８４に接続に接続されている。
【００８６】
スイッチ３３２、３３３、３３４及び３３５はそれぞれ入力端を二つ有し、入力端はそれぞれ電源電圧５Ｖと接地電位ＧＮＤに接続されている。スイッチ３３２の出力端は、ＮＡＮＤ回路３１０の両方の入力端、及びＸＯＲ回路３０６の一方の入力端に接続されている。スイッチ３３３の出力端は、発信回路１１０に接続されている。スイッチ３３４の出力端は、分周回路１２０、及びＡＮＤ回路３０１から３０４のそれぞれの一方の入力端に接続されている。スイッチ３３５の出力端は、ＡＮＤ回路３０５の一方の出力端に接続されている。また、スイッチ３３１の出力端は、ＡＮＤ回路３０１の他方の入力端と、ＸＯＲ回路３０６の他方の入力端に接続されている。  
スイッチ３３１から３３５は、制御部３０からの切り替え信号によって、二つの入力端のうちのどちらか一方と出力端とを選択的に接続するように切り替えられる。
【００８７】
発振回路１１０は、第１の実施形態と同様に、ＣＲ発振回路であり、スイッチ３３３からＮＡＮＤ回路１１１に電源電圧５Ｖが供給されることにより、クロック信号Ｖ０を出力する。発振回路１１０が出力するクロック信号Ｖ０の周波数は、スイッチ１１８が抵抗１１６又は１１７のどちらかに接続されるかにより、抵抗１１６及び１１７の抵抗値により決定される、異なる２種類の周波数から選択される。スイッチ１１８は、制御部３０からの切り替え信号によって、二つの抵抗１１６又は１１７のいずれか一方に接続するように切り替えられる。
【００８８】
分周回路１２０は、第１の実施形態と同様に、二つのＤタイプフリップフロップ（以下、ＤＦＦと称する）１２１及び１２２を有する。一つ目のＤＦＦ１２１のクロック入力端子ＣＫ１は発振回路１１０の出力と接続されており、反転出力端子ＱＢ１は入力端子Ｄ１に接続されている。ＤＦＦ１２１は、発振回路１１０から入力されるクロック信号Ｖ０の半分の周波数のクロック信号Ｖ１を、出力端子Ｑ１から出力する。ＤＦＦ１２１は、クロック信号Ｖ０を１／２分周することにより、デューティ比５０％の矩形波を有するクロック信号Ｖ１を得るものである。
【００８９】
一方、二つ目のＤＦＦ１２２のクロック入力端子ＣＫ２はＤＦＦ１２１の出力端子Ｑ１と接続されており、反転出力端子ＱＢ２は入力端子Ｄ２に接続されている。ＤＦＦ１２２は、ＤＦＦ１２１から入力されたクロック信号Ｖ１の半分の周波数のクロック信号Ｖ２を、出力端子Ｑ２から出力する。
【００９０】
ＤＦＦ１２１の出力端子Ｑ１は、スイッチ３３１の一方の入力端、ＸＯＲ回路３０７及び３０８の一方の入力端に接続されている。また、ＤＦＦ１２２の出力端子Ｑ２は、スイッチ３３１の他方の入力端に接続されている。
【００９１】
ＮＡＮＤ回路３１０の出力端は、ＡＮＤ回路３０５の他方の入力端と、ＸＯＲ回路３０９の一方の入力端に接続されている。ＡＮＤ回路３０５の出力端は、ＸＯＲ回路３０７及び３０９の他方の入力端に接続されている。ＸＯＲ回路３０９の出力端は、ＸＯＲ回路３０８の他方の入力端に接続されている。ＸＯＲ回路３０６から３０８の出力端は、それぞれＡＮＤ回路３０２から３０４の他方の入力端に接続されている。
【００９２】
また、４つのＡＮＤ回路３０１から３０４の出力端は、それぞれ出力端ＯＵＴ１からＯＵＴ４に接続されている。出力端ＯＵＴ１からＯＵＴ４は、それぞれ下部電極８１、８２、上部電極８３、８４に接続されており、ＡＮＤ回路３０１から３０４から出力されるクロック信号は、それぞれ下部電極８１、８２、上部電極８３、８４に出力される。
【００９３】
以下に、駆動回路３００の動作と、駆動回路３００から下部電極８１及び８２と上部電極８３及び８４へ出力される電圧波形について説明する。
【００９４】
まず、第１の２画面表示モードの時は、制御部３０からの切り替え信号により、スイッチ１１８の入力端は抵抗１１６に接続され、スイッチ３３１の入力端はＤＦＦ１２１の出力端子Ｑ１に接続され、スイッチ３３２及び３３５の入力端は接地電位ＧＮＤに接続される。また、スイッチ３３３及び３３４の入力端は、電源電圧５Ｖに接続される。よって、図１９（ａ）に示すように、出力端ＯＵＴ１、ＯＵＴ２及びＯＵＴ３からは、ＤＦＦ１２１の出力端子Ｑ１から出力されたクロック信号Ｖ１が出力される。一方、出力端ＯＵＴ４からは、ＸＯＲ回路３０８によって、クロック信号Ｖ１が反転された信号が出力される。
【００９５】
また、第２の２画面表示モードの時は、制御部３０からの切り替え信号により、スイッチ１１８の入力端は抵抗１１６に接続され、スイッチ３３１の入力端はＤＦＦ１２１の出力端子Ｑ１に接続され、スイッチ３３２の入力端は接地電位ＧＮＤに接続される。また、スイッチ３３３、３３４及び３３５の入力端は、電源電圧５Ｖに接続される。よって、図１９（ｂ）に示すように、出力端ＯＵＴ１、ＯＵＴ２及びＯＵＴ４からは、ＤＦＦ１２１の出力端子Ｑ１から出力されたクロック信号Ｖ１が出力される。一方、出力端ＯＵＴ３からは、ＸＯＲ回路３０７によって、クロック信号Ｖ１が反転された信号が出力される。
【００９６】
すなわち、駆動回路３００は、上部電極８３及び８４に、上部電極８３及び８４の隣り合う帯状電極部８３ａ及び８４ａ同士が逆位相となるように電圧を印加し、下部電極８１及び８２に、上部電極８３又は８４のいずれかに印加するいずれか一方の電圧と同位相の電圧を印加する。よって、第１の２画面表示モードの時は、帯状電極部８４ａと、帯状電極部８４ａと向かい合う帯状電極部８１ａ及び８２ａとの間に電位差が生じる。これは第１の実施形態における２画面表示モードと同様である。また、第２の２画面表示モードの時は、帯状電極部８３ａと、帯状電極部８３ａと向かい合う帯状電極部８１ａ及び８２ａとの間に電位差が生じる。よって、偏光制御液晶パネル７には、単位領域７ｃ二つ毎に偏光制御領域７ａ及び７ｂが交互に形成されるものであるが、第１の２画面表示モードと第２の２画面表示モードとでは、偏光制御領域７ａ及び７ｂが形成される単位領域７ｃの位置が反転するのである。
【００９７】
また、３次元画像表示モードの時は、制御部３０からの切り替え信号により、スイッチ１１８の入力端は抵抗１１６に接続され、スイッチ３３１の入力端はＤＦＦ１２１の出力端子Ｑ１に接続され、スイッチ３３２、３３３及び３３４の入力端は電源電圧５Ｖに接続される。また、スイッチ３３５の入力端は、接地電位ＧＮＤに接続される。よって、図１９（ｃ）に示すように、出力端ＯＵＴ１、ＯＵＴ３及びＯＵＴ４からは、ＤＦＦ１２１の出力端子Ｑ１から出力されたクロック信号Ｖ１が出力される。一方、出力端ＯＵＴ２からは、ＸＯＲ回路３０６によって、クロック信号Ｖ１が反転された信号が出力される。
【００９８】
すなわち、駆動回路３００は、第１の実施形態と同様に、下部電極８１及び８２に、下部電極８１及び８２の隣り合う帯状電極部８１ａ及び８２ａ同士が逆位相となるように電圧を印加し、上部電極８３及び８４に、下部電極８１又は８２のいずれかに印加するいずれか一方の電圧と同位相の電圧を印加する。よって、下部電極８２と、下部電極８２に対向する上部電極８３及び８４との間に電位差が生じ、偏光制御液晶パネル７には、単位領域７ｃ一つ毎に偏光制御領域７ａ及び７ｂが交互に形成される。
【００９９】
また、２次元画像表示モードの時は、制御部３０からの切り替え信号により、スイッチ１１８の入力端は抵抗１１７に接続され、スイッチ３３１の入力端はＤＦＦ１２２の出力端子Ｑ２に接続され、スイッチ３３２の入力端は電源電圧５Ｖに接続される。また、スイッチ３３３及び３３４は、電源電圧５Ｖに接続される。また、スイッチ３３５の入力端は、接地電位ＧＮＤに接続される。よって、図１９（ｄ）に示すように、出力端ＯＵＴ３及びＯＵＴ４からは、ＤＦＦ１２１の出力端子Ｑ１から出力されたクロック信号Ｖ１が出力される。また、出力端ＯＵＴ１からは、ＤＦＦ１２２の出力端子Ｑ２から出力されたクロック信号Ｖ２が出力され、出力端ＯＵＴ２からは、ＸＯＲ回路３０６によって、クロック信号Ｖ２が反転された信号が出力される。
【０１００】
すなわち、駆動回路３００は、第１の実施形態と同様に、下部電極８１及び８２に、下部電極８１及び８２の隣り合う帯状電極部８１ａ及び８２ａ同士が逆位相となるように電圧を印加し、上部電極８３及び８４に、下部電極８１及び８２に印加する電圧の半分の周期の電圧を印加する。よって、下部電極８１と上部電極８３及び８４との間と、下部電極８２と上部電極８３及び８４との間とに交互に周期的に電位差が生じる。よって偏光制御液晶パネル７には、単位領域７ｃ一つ毎に偏光制御領域７ａ及び７ｂが交互に形成され、かつ偏光制御領域７ａ及び７ｂは周期的に交互に入れ替わる。このとき、偏光制御領域７ａ及び７ｂが入れ替わる周期は、発振回路１１０の抵抗１１７により決定されるクロック信号Ｖ０の４倍の周期となり、本実施形態では、１／６０秒である。
【０１０１】
以下に、本実施形態の画像表示装置１の動作の詳細を説明する。  
なお、本実施形態では、第２の２画面表示モード時以外の画像表示装置１の動作は第１の実施形態と同様であるため説明を省略する。
【０１０２】
（第１の２画面表示モード）  
第１の２画面表示モードは、第１の実施形態の２画面表示モードと同様であるため、詳細の説明は省略する。第１の２画面表示モードでは、前述のように、表示パネル２に、制御部３０から画像信号が供給されることにより、画像Ｌ２及び画像Ｒ２の２つの異なる画像が同時に表示される。しかしながら、観察者１０に向かう光は、画像Ｌ２が表示されている表示パネル２の画素列２ａのみを通過し、観察者２０に向かう光は、画像Ｒ２が表示されている表示パネル２の画素列２ｂのみを通過するため、観察者１０には画像Ｌ２のみが観察され、観察者２０には画像Ｒ２のみが観察される。
【０１０３】
（第２の２画面表示モード）  
第２の２画面表示モードでは、外部装置から制御部３０に供給される画像のデータは、第１の２画面表示モードと同一である。また、制御部３０から表示パネル２に供給される画像信号も第１の２画面表示モードと同一である。したがって、図１０に示すように、第２の２画面表示モード時には、表示パネル２の画素列２ａに、画像Ｌ２が表示されるとともに、画素列２ｂに、画像Ｒ２が表示される。  
外部装置から、制御部３０に、画像表示モードの切り替え命令がなされることにより、駆動回路３００からの出力が切り替わり、偏光制御液晶パネル７の偏光制御領域７ａ及び７ｂが形成される単位領域７ｃの位置が、第１の２画面表示モードに対して反転する。
【０１０４】
上記構成において、バックライト５から照射された光は、バックライト５の観察者１０及び２０側に配置された偏光板６により、第１の偏光軸を有する光のみを透過して、偏光制御液晶パネル７に向かって進行する。そして、第１の偏光軸を有する光が、偏光制御液晶パネル７の偏光制御領域７ａ及び７ｂを透過する。この際、偏光制御液晶パネル７の偏光制御領域７ａに入射した光は、偏光軸が変化されることなく透過する一方、偏光制御液晶パネル７の偏光制御領域７ｂに入射した光は、偏光軸が実質的に９０°変化されて（第２の偏光軸を有した状態で）出射される。その後、第１の偏光軸を有した状態で偏光制御領域７ａを出射した光は、レンチキュラーレンズ８により、観察者２０に向かって進行するように集光される。また、第１の偏光軸と実質的に直交する第２の偏光軸を有した状態で偏光制御領域７ｂを出射した光は、レンチキュラーレンズ８により、観察者１０に向かって進行するように集光される。すなわち、第１の２画面表示モード時と、観察者１０及び２０へ向かうそれぞれの光の偏光軸が入れ替わる。
【０１０５】
そして、第１の偏光軸を有した状態で、観察者２０に向かって進行する光は、透過領域９ａ及び偏光領域９ｂを有する位相差板９に入射する。そして、第１の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化されて（第２の偏光軸を有した状態で）出射される。その後、第１の偏光軸を有した状態で位相差板９の透過領域９ａから出射された観察者２０に向かう光は、表示パネル２と位相差板９との間に配置される偏光板４に入射されるとともに、そのまま偏光板４を透過して表示パネル２の画素列２ａに入射する。これに対して、第１の偏光軸と実質的に直交する第２の偏光軸を有した状態で位相差板９の偏光領域９ｂから出射された観察者２０に向かう光は、表示パネル２と位相差板９との間に配置される偏光板４に入射されて吸収される。このため、観察者２０には、画像Ｒ２が表示されている表示パネル２の画素列２ｂを通過する光が到達しないので、観察者２０は、表示パネル２の画素列２ｂに表示される画像Ｒ２を見ることができない。これにより、観察者２０は、表示パネル２の画素列２ａに表示される画像Ｌ２のみを見ることができる。
【０１０６】
また、第２の偏光軸を有した状態で、観察者１０に向かって進行する光は、透過領域９ａ及び偏光領域９ｂを有する位相差板９に入射する。そして、第１の偏光軸と実質的に直交する第２の偏光軸を有する光が、位相差板９の透過領域９ａ及び偏光領域９ｂを透過する。この際、位相差板９の透過領域９ａを透過した光は、偏光軸が変化されることなく透過するとともに、偏光領域９ｂに入射した光は、偏光軸が実質的に９０°変化された状態（第１の偏光軸を有した状態）で出射される。その後、第１の偏光軸と実質的に直交する第２の偏光軸を有した状態で位相差板９の透過領域９ａから出射されて観察者１０に向かう光は、表示パネル２と位相差板９との間に配置される偏光板４に入射されて吸収される。このため、観察者１０には、画像Ｌ２が表示されている表示パネル２の画素列２ａを通過する光が到達しないので、観察者１０は、表示パネル２の画素列２ａに表示される画像Ｌ２を見ることができない。これに対して、第１の偏光軸を有した状態で位相差板９の偏光領域９ｂから出射されて観察者１０に向かう光は、表示パネル２と位相差板９との間に配置される偏光板４に入射されるとともに、そのまま偏光板４を透過して表示パネル２の画素列２ｂに入射する。これにより、観察者１０は、表示パネル２の画素列２ｂに表示される画像Ｒ２のみを見ることが可能となる。
【０１０７】
すなわち、本実施形態の画像表示装置１は、第１の２画面表示モードでは、観察者１０には画像Ｌ２のみを提供し、観察者２０には画像Ｒ２のみを提供する。そして、第２の２画面表示モードでは、観察者１０には画像Ｒ２のみを提供し、観察者２０には画像Ｌ２のみを提供する。
【０１０８】
上述した本実施形態の画像表示装置１は、以下のような効果を有する。  
本実施の形態の画像表示装置１は、外部装置から制御部３０へ入力する画像のデータ及び、制御部３０から表示パネル２に供給する画像信号を変更することなく、変更制御液晶パネル７の制御を変更することで、異なる位置で観察している観察者１０及び２０へ提供している画像を入れ替えることができる。すなわち、画像を表示する方向を入れ替えることができる。
【０１０９】
例えば、従来のパララックスバリアを用いた２画面表示装置では、同様に画像を提供する方向を入れ替える場合、画像Ｌ２及びＲ２を表示する位置を入れ替えねばならない。このため、このため、従来の２画面表示装置では表示する位置を入れ替えるたびに、入力される画像のデータをレンダリングしなおし、新たな画像信号を生成する必要があった。よって、従来の２画面表示装置では、画像の表示方向を入れ替える時に、再レンダリングのための時間が必要となり、画像の表示に遅延が生じてしまうと言う問題があった。また、この画像の表示の遅延を無くすためには、メモリを装備しなければならず、表示装置が高価になってしまうと言う問題点があった。
【０１１０】
しかしながら、本実施形態の画像表示装置１によれば、画像Ｌ２及びＲ２を表示する位置を入れ替えることなく、瞬時に観察位置の異なる観察者１０及び２０へ提供する画像を入れ替えることが可能なため、入れ替え時の表示の遅延が発生しない。よって、観察者１０及び２０は、より快適に画像Ｌ２及びＲ２を観察することができる。また、メモリを装備する必要も無く、画像表示装置１を安価に構成することが可能となる。
【０１１１】
また、本実施形態では、画像表示装置１の第１及び第２の２画面表示モードは、外部装置から制御部３０に、画像表示モードの切り替え命令がなされることにより、切り替えられるものであるが、表示モードの切り替えはこの様態に限られるものではない。例えば、タイマーによって、所定の時間毎に第１及び第２の２画面表示モードが順次切り替えられるようにしてもよい。
【０１１２】
なお、本実施形態のその他の効果、及び電子機器の構成は、第１の実施形態と同様である。
【０１１３】
本発明は、上記の各実施形態に限られるものではなく、請求の範囲及び明細書全体から読み取れる発明の要旨或いは思想に反しない範囲で適宜変更可能であることは言うまでもない。
【図面の簡単な説明】
【０１１４】
【図１】画像表示装置を示した分解斜視図である。
【図２】画像表示装置の原理を説明するための観察者が上方から表示パネルを見た状態を示した図である。
【図３】偏光制御液晶パネルの部分拡大図である。
【図４】偏光制御液晶パネルの分解斜視図である。
【図５】偏光制御液晶パネルの平面図である。
【図６】図５のVI−VI断面図である。
【図７】制御回路の電気回路図である。
【図８】出力端から出力される電圧を説明するためのタイミングチャートである。
【図９】画像表示装置の原理を説明するための観察者が側方から表示パネルを見た状態を示した図である。
【図１０】画像表示装置の原理を説明するための分解斜視図である。
【図１１】画像表示装置の２画面表示モードにおいて観察者が観察する表示パネルの領域を説明するための図である。
【図１２】画像表示装置の３次元画像表示の原理を説明するための観察者が上方から表示パネルを見た状態を示した図である。
【図１３】画像表示装置の３次元画像表示の原理を説明するための分解斜視図である。
【図１４】画像表示装置の３次元画像表示モードにおいて観察者が観察する表示パネルの領域を説明するための図である。
【図１５】画像表示装置の２次元画像表示モードにおける偏光制御液晶パネル、位相差板および表示パネルを示した図である。
【図１６】画像表示装置の２次元画像表示モードにおいて観察者が観察する表示パネルの領域を説明するための図である。
【図１７】携帯電話機の構成を示す斜視図である。
【図１８】第２の実施形態の制御回路の電気回路図である。
【図１９】第２の実施形態の出力端から出力される電圧を説明するためのタイミングチャートである。
【符号の説明】
【０１１５】
１  画像表示装置、  ２  表示パネル、  ３  偏光板、  ４  偏光板、  ５  バックライト、  ７  偏光制御液晶パネル、  ７ａ  偏光制御領域、  ７ｂ  偏光制御領域、  ８  レンチキュラーレンズ、  ８ａ  レンズ部、  ９  位相差板、  ９ａ  透過領域、  ９ｂ  偏光領域、  １０（２０）  観察者、  １０ａ（２０ａ）  観察者の左目、  １０ｂ（２０ｂ）  観察者の右目
【図１】
2007164116.tif 000003
【図２】
2007164116.tif 000004
【図３】
2007164116.tif 000005
【図４】
2007164116.tif 000006
【図５】
2007164116.tif 000007
【図６】
2007164116.tif 000008
【図７】
2007164116.tif 000009
【図８】
2007164116.tif 000010
【図９】
2007164116.tif 000011
【図１０】
2007164116.tif 000012
【図１１】
2007164116.tif 000013
【図１２】
2007164116.tif 000014
【図１３】
2007164116.tif 000015
【図１４】
2007164116.tif 000016
【図１５】
2007164116.tif 000017
【図１６】
2007164116.tif 000018
【図１７】
2007164116.tif 000019
【図１８】
2007164116.tif 000020
【図１９】
2007164116.tif 000021